(57)【要約】  ファンの制御方法であって、当該方法は、情景風作動モードに入るように前記ファンを制御した後、前記情景風作動モードに対応する特定のユーザーの睡眠時間を取得するステップＳ１と、前記特定のユーザーの睡眠時間に基づいて、前記ファンのランク制御時系列を取得するステップＳ２と、前記ファンのランク制御時系列に基づいて、前記ファンを制御して、前記ファンの送風風速を調節するステップＳ３と、を含む。当該方法は、特定のユーザー、例えば、赤ちゃんや妊婦さんなどの睡眠中に、より柔らかい風を供給することができ、特定のユーザーが風にあたって風邪を引いてしまうことを防止すると同時に、赤ちゃんや妊婦さんにより静かな睡眠環境を供給し、特定のユーザーの睡眠品質を向上させる。
2019507846.tif 000002
【特許請求の範囲】
【請求項１】
ファンの制御方法であって、前記方法は、
情景風作動モードに入るように前記ファンを制御した後、前記情景風作動モードに対応する特定のユーザーの睡眠時間を取得するステップと、
前記特定のユーザーの睡眠時間に基づいて、前記ファンのランク制御時系列を取得するステップと、
前記ファンのランク制御時系列に基づいて、前記ファンを制御して、前記ファンの送風風速を調節するステップと、
を含む、
ファンの制御方法。
【請求項２】
前記特定のユーザーの睡眠時間に基づいて、前記ファンのランク制御時系列を取得するステップは、
前記特定のユーザーの睡眠時間に基づいて、レム睡眠状態とノンレム睡眠状態とを含む前記特定のユーザーの睡眠状態を判断するステップと、
前記特定のユーザーが前記レム睡眠状態にある場合に、ユーザーによって設定されたランクを基本参照変数として、第１のランク制御時系列を生成するステップと、
前記特定のユーザーが前記ノンレム睡眠状態にある場合に、前記第１のランク制御時系列に基づいて、第２のランク制御時系列を生成するステップと、
を含む、
請求項１に記載のファンの制御方法。
【請求項３】
前記特定のユーザーが前記レム睡眠状態にある場合に、前記第１のランク制御時系列に基づいて、前記ファンを制御するステップは、
前記特定のユーザーの睡眠時間が第１の所定睡眠時間に達した場合に、第２の風速ランクで第１の所定時間作動するように前記ファンを制御した後、第３の風速ランクで作動するように前記ファンを制御し、前記第３の風速ランクで前記第１の所定時間作動するように前記ファンを制御した後、前記第２の風速ランクで前記第１の所定時間作動するように前記ファンを制御し、前記特定のユーザーの睡眠時間が第２の所定睡眠時間に達するまで順次に繰り返すステップと、
前記特定のユーザーの睡眠時間が前記第２の所定睡眠時間に達した場合に、前記第２の風速ランクで第２の所定時間作動するように前記ファンを制御した後、前記第３の風速ランクで作動するように前記ファンを制御し、前記第３の風速ランクで前記第２の所定時間作動するように前記ファンを制御した後、第１の風速ランクで作動するように前記ファンを制御し、前記第１の風速ランクで前記第２の所定時間作動するように前記ファンを制御した後、再び前記第１の風速ランクで作動するように前記ファンを制御し、前記特定のユーザーの睡眠時間が第３の所定睡眠時間に達するまで順次に繰り返すステップと、を含み、
前記第２の風速ランクが前記第１の風速ランクより大きく、且つ前記第３の風速ランクより小さい、
請求項２に記載のファンの制御方法。
【請求項４】
前記特定のユーザーの睡眠時間が前記第１の所定睡眠時間に達した後、さらに、第１の所定角度で首振りするように前記ファンを制御する、
請求項３に記載のファンの制御方法。
【請求項５】
前記特定のユーザーが前記ノンレム睡眠状態にある場合に、前記第２のランク制御時系列に基づいて、前記ファンを制御するステップは、
第１の風速ランクで第３の所定時間作動するように前記ファンを制御した後、第２の風速ランクで作動するように前記ファンを制御し、前記第２の風速ランクで前記第３の所定時間作動するように前記ファンを制御した後、前記第１の風速ランクで前記第３の所定時間作動するように前記ファンを制御し、前記特定のユーザーの睡眠時間が第４の所定睡眠時間に達するまで順次に繰り返すステップと、
前記特定のユーザーの睡眠時間が前記第４の所定睡眠時間に達した場合に、前記第２の風速ランクで第４の所定時間作動するように前記ファンを制御した後、前記第２の風速ランクで作動するように前記ファンを制御し、前記第２の風速ランクで前記第４の所定時間作動するように前記ファンを制御した後、第１の風速ランクで前記第４の所定時間作動するように前記ファンを制御し、前記特定のユーザーの睡眠時間が第５の所定睡眠時間に達するまで順次に繰り返すステップと、
前記特定のユーザーの睡眠時間が前記第５の所定睡眠時間に達した場合に、前記第１の風速ランクで第５の所定時間作動するように前記ファンを制御した後、前記第２の風速ランクで作動するように前記ファンを制御し、前記第２の風速ランクで前記第５の所定時間作動するように前記ファンを制御した後、前記第１の風速ランクで作動するように前記ファンを制御し、前記第１の風速ランクで前記第５の所定時間作動するように前記ファンを制御した後、再び前記第１の風速ランクで作動するように前記ファンを制御し、前記特定のユーザーの睡眠時間が第６の所定睡眠時間に達するまで順次に繰り返すステップと、を含み、
前記第２の風速ランクが前記第１の風速ランクより大きい、
請求項２に記載のファンの制御方法。
【請求項６】
前記特定のユーザーの睡眠時間が前記第６の所定睡眠時間に達した後、さらに、第２の所定角度で首振りするように前記ファンを制御し、前記第１の風速ランクで作動することを維持するように前記ファンを制御する、
請求項５に記載のファンの制御方法。
【請求項７】
前記特定のユーザーが前記睡眠状態から目覚めた場合に、第１の風速ランクで第６の所定時間作動するように前記ファンを制御した後、第３の風速ランクで作動するように前記ファンを制御し、前記第３の風速ランクで前記第６の所定時間作動するように前記ファンを制御した後、第２の風速ランクで前記第６の所定時間作動するように前記ファンを制御し、前記特定のユーザーの目覚め時間が第１の所定目覚め時間に達するまで順次に繰り返し、
前記特定のユーザーの目覚め時間が前記第１の所定目覚め時間に達した場合に、前記第２の風速ランクで第７の所定時間作動するように前記ファンを制御した後、前記第３の風速ランクで作動するように前記ファンを制御し、前記第３の風速ランクで前記第７の所定時間作動するように前記ファンを制御した後、前記第１の風速ランクで作動するように前記ファンを制御し、前記第１の風速ランクで前記第７の所定時間作動するように前記ファンを制御した後、再び前記第１の風速ランクで作動するように前記ファンを制御し、前記ファンがターンオフ命令を受信して作動を停止するまで、順次に繰り返し、
前記第２の風速ランクが前記第１の風速ランクより大きく、且つ前記第３の風速ランクより小さい、
請求項２に記載のファンの制御方法。
【請求項８】
前記特定のユーザーが前記睡眠状態から目覚めた後、さらに、第３の所定角度で首振りするように前記ファンを制御する、
請求項７に記載のファンの制御方法。
【請求項９】
前記ファンの送風風速が３０回転/分以上、且つ１８０回転/分以下である、
請求項１〜８のいずれか一項に記載のファンの制御方法。
【請求項１０】
前記ファンの制御方法は、前記特定のユーザーの人体パラメータを取得し、前記特定のユーザーの人体パラメータに基づいて、風速調節命令及びファン首振り調節命令を生成して、前記ファンの送風風速及び前記ファンの首振り角度を調節するステップをさらに含む、
請求項１に記載のファンの制御方法。
【請求項１１】
前記ファンの制御方法は、前記特定のユーザーの画像情報を取得し、前記特定のユーザーの画像情報に基づいて、前記特定のユーザーの睡眠状態及び睡眠品質を取得し、前記特定のユーザーの睡眠状態及び睡眠品質に基づいて、前記ファンのランク制御時系列を修正するステップをさらに含む、
請求項１〜１０のいずれか一項に記載のファンの制御方法。
【請求項１２】
前記ファンの制御方法は、前記特定のユーザーの睡眠状態及び睡眠品質を移動端末に送信するステップをさらに含む、
請求項１１に記載のファンの制御方法。
【請求項１３】
前記ファンの制御方法は、前記特定のユーザーの音声情報を取得し、前記特定のユーザーの音声情報を移動端末に送信し、前記移動端末の音声情報を受信するステップをさらに含む、
請求項１２に記載のファンの制御方法。
【請求項１４】
前記ファンのランク制御時系列に基づいて、前記ファンを制御する場合に、さらに、下記数式により前記ファンの送風風速を制御し、
【数１】
2019507846.tif 000006
ただし、h(t)が応答関数であり、δが減衰指数であり、ζが減衰比であり、ωｎが非減衰振動周波数であり、tが時間である、
請求項１〜１３のいずれか一項に記載のファンの制御方法。
【請求項１５】
ファンであって、前記ファンは、
ファンブレードと、
回転するように前記ファンブレードを駆動するためのモータと、
情景風作動モードに入るように前記ファンを制御した後、前記情景風作動モードに対応する特定のユーザーの睡眠時間を取得し、前記特定のユーザーの睡眠時間に基づいて、前記ファンのランク制御時系列を取得し、前記ファンのランク制御時系列に基づいて、前記ファンを制御して、前記ファンの送風風速を調節するためのメイン制御モジュールと、
を含む、
ファン。
【請求項１６】
前記メイン制御モジュールが前記特定のユーザーの睡眠時間に基づいて、前記ファンのランク制御時系列を取得する場合に、前記メイン制御モジュールは、前記特定のユーザーの睡眠時間に基づいて、レム睡眠状態とノンレム睡眠状態とを含む前記特定のユーザーの睡眠状態を判断し、前記特定のユーザーが前記レム睡眠状態にある場合に、前記メイン制御モジュールは、ユーザーによって設定されたランクを基本参照変数として、第１のランク制御時系列を生成し、前記特定のユーザーが前記ノンレム睡眠状態にある場合に、前記メイン制御モジュールは、前記第１のランク制御時系列に基づいて、第２のランク制御時系列を生成する、
請求項１５に記載のファン。
【請求項１７】
前記特定のユーザーが前記レム睡眠状態にある場合に、前記メイン制御モジュールは、前記第１のランク制御時系列に基づいて、前記ファンを制御し、
前記特定のユーザーの睡眠時間が第１の所定睡眠時間に達した場合に、前記メイン制御モジュールは、第２の風速ランクで第１の所定時間作動するように前記ファンを制御した後、第３の風速ランクで作動するように前記ファンを制御し、前記第３の風速ランクで前記第１の所定時間作動するように前記ファンを制御した後、前記第２の風速ランクで前記第１の所定時間作動するように前記ファンを制御し、前記特定のユーザーの睡眠時間が第２の所定睡眠時間に達するまで順次に繰り返し、
前記特定のユーザーの睡眠時間が前記第２の所定睡眠時間に達した場合に、前記メイン制御モジュールは、前記第２の風速ランクで第２の所定時間作動するように前記ファンを制御した後、前記第３の風速ランクで作動するように前記ファンを制御し、前記第３の風速ランクで前記第２の所定時間作動するように前記ファンを制御した後、第１の風速ランクで作動するように前記ファンを制御し、前記第１の風速ランクで前記第２の所定時間作動するように前記ファンを制御した後、再び前記第１の風速ランクで作動するように前記ファンを制御し、前記特定のユーザーの睡眠時間が第３の所定睡眠時間に達するまで順次に繰り返し、
前記第２の風速ランクが前記第１の風速ランクより大きく、且つ前記第３の風速ランクより小さい、
請求項１６に記載のファン。
【請求項１８】
前記特定のユーザーの睡眠時間が前記第１の所定睡眠時間に達した後、前記メイン制御モジュールは、さらに、第１の所定角度で首振りするように前記ファンを制御する、
請求項１７に記載のファン。
【請求項１９】
前記特定のユーザーが前記ノンレム睡眠状態にある場合に、前記メイン制御モジュールは、前記第２のランク制御時系列に基づいて、前記ファンを制御し、
前記メイン制御モジュールは、第１の風速ランクで第３の所定時間作動するように前記ファンを制御した後、第２の風速ランクで作動するように前記ファンを制御し、前記第２の風速ランクで前記第３の所定時間作動するように前記ファンを制御した後、前記第１の風速ランクで前記第３の所定時間作動するように前記ファンを制御し、前記特定のユーザーの睡眠時間が第４の所定睡眠時間に達するまで順次に繰り返し、
前記特定のユーザーの睡眠時間が前記第４の所定睡眠時間に達した場合に、前記メイン制御モジュールは、前記第２の風速ランクで第４の所定時間作動するように前記ファンを制御した後、前記第２の風速ランクで作動するように前記ファンを制御し、前記第２の風速ランクで前記第４の所定時間作動するように前記ファンを制御した後、第１の風速ランクで前記第４の所定時間作動するように前記ファンを制御し、前記特定のユーザーの睡眠時間が第５の所定睡眠時間に達するまで順次に繰り返し、
前記特定のユーザーの睡眠時間が前記第５の所定睡眠時間に達した場合に、前記メイン制御モジュールは、前記第１の風速ランクで第５の所定時間作動するように前記ファンを制御した後、前記第２の風速ランクで作動するように前記ファンを制御し、前記第２の風速ランクで前記第５の所定時間作動するように前記ファンを制御した後、前記第１の風速ランクで作動するように前記ファンを制御し、前記第１の風速ランクで前記第５の所定時間作動するように前記ファンを制御した後、再び前記第１の風速ランクで作動するように前記ファンを制御し、前記特定のユーザーの睡眠時間が第６の所定睡眠時間に達するまで順次に繰り返し、
前記第２の風速ランクが前記第１の風速ランクより大きい、
請求項１６に記載のファン。
【請求項２０】
前記特定のユーザーの睡眠時間が前記第６の所定睡眠時間に達した後、前記メイン制御モジュールは、さらに、第２の所定角度で首振りするように前記ファンを制御するとともに、前記第１の風速ランクで作動することを維持するように前記ファンを制御する、
請求項１９に記載のファン。
【請求項２１】
前記特定のユーザーが前記睡眠状態から目覚めた場合に、前記メイン制御モジュールは、第１の風速ランクで第６の所定時間作動するように前記ファンを制御した後、第３の風速ランクで作動するように前記ファンを制御し、前記第３の風速ランクで前記第６の所定時間作動するように前記ファンを制御した後、第２の風速ランクで前記第６の所定時間作動するように前記ファンを制御し、前記特定のユーザーの目覚め時間が第１の所定目覚め時間に達するまで順次に繰り返し、
前記特定のユーザーの目覚め時間が前記第１の所定目覚め時間に達した場合に、前記メイン制御モジュールは、前記第２の風速ランクで第７の所定時間作動するように前記ファンを制御した後、前記第３の風速ランクで作動するように前記ファンを制御し、前記第３の風速ランクで前記第７の所定時間作動するように前記ファンを制御した後、前記第１の風速ランクで作動するように前記ファンを制御し、前記第１の風速ランクで前記第７の所定時間作動するように前記ファンを制御した後、再び前記第１の風速ランクで作動するように前記ファンを制御し、前記ファンがターンオフ命令を受信して作動を停止するまで、順次に繰り返し、
前記第２の風速ランクが前記第１の風速ランクより大きく、且つ前記第３の風速ランクより小さい、
請求項１６に記載のファン。
【請求項２２】
前記特定のユーザーが前記睡眠状態から目覚めた後、前記メイン制御モジュールは、さらに、第３の所定角度で首振りするように前記ファンを制御する、
請求項２１に記載のファン。
【請求項２３】
前記ファンの送風風速が３０回転/分以上、且つ１８０回転/分以下である、
請求項１５〜２２のいずれか一項に記載のファン。
【請求項２４】
前記ファンは、前記特定のユーザーの人体パラメータを取得するための体感取得モジュールをさらに含み、前記メイン制御モジュールは、前記特定のユーザーの人体パラメータに基づいて、風速調節命令及びファン首振り調節命令を生成して、前記ファンの送風風速及び前記ファンの首振り角度を調節する、
請求項１５に記載のファン。
【請求項２５】
前記ファンは、前記特定のユーザーの画像情報を取得するための撮像装置をさらに含み、前記メイン制御モジュールは、前記画像情報に基づいて、前記特定のユーザーの睡眠状態及び睡眠品質を取得し、前記特定のユーザーの睡眠状態及び睡眠品質に基づいて、前記ファンのランク制御時系列を修正する、
請求項１５〜２４のいずれか一項に記載のファン。
【請求項２６】
前記ファンは、通信モジュールをさらに含み、前記メイン制御モジュールは、前記通信モジュールを介して前記特定のユーザーの睡眠状態及び睡眠品質を移動端末に送信する、
請求項２５に記載のファン。
【請求項２７】
前記ファンは、前記特定のユーザーの音声情報を取得するための音声取得モジュールをさらに含み、前記メイン制御モジュールは、前記通信モジュールを介して前記特定のユーザーの音声情報を前記移動端末に送信し、前記通信モジュールを介して前記移動端末の音声情報を受信する、
請求項２６に記載のファン。
【請求項２８】
前記メイン制御モジュールは、前記ファンのランク制御時系列に基づいて、前記ファンを制御する場合に、さらに、下記数式により前記ファンの送風風速を制御し、
【数２】
2019507846.tif 000007
ただし、h(t)が応答関数であり、δが減衰指数であり、ζが減衰比であり、ωｎが非減衰振動周波数であり、tが時間である、
請求項１５〜２７のいずれか一項に記載のファン。
【発明の詳細な説明】
【技術分野】
【０００１】
本発明は、家電製品技術分野に関し、特に、ファンの制御方法及びファンに関する。
【背景技術】
【０００２】
関連技術において、ファンは、カメラにより子供が発見された後、子供モードに入り、子供からファンまでの距離を認識することにより、ファンの風速を調節し、ファンと子供との距離が比較的小さい場合に、作動を停止する、又は電源を切断するようにファンを制御する。
【０００３】
当該方法には、一定の欠点がある。カメラが故障した場合に、外見的な特徴の誤認識がありがちで、ファンが子供モードに入れず、制御が効かなくなるとともに、子供からファンまでの距離が正確に認識されないことによって、風速の制御が正確でないという問題が起こってしまう。また、ファンと子供との距離が比較的小さい場合に、作動を停止する、又は電源を切断するようにファンを制御して、ファンが起動又は停止を繰り返すため、制御回路及びモータの老朽化を加速させ、ファンの使用寿命が低下し、ユーザー体験の満足度が低下する。
【発明の概要】
【発明が解決しようとする課題】
【０００４】
本発明は、関連技術における少なくとも一つの技術的課題をある程度で解決することを目的とする。そのため、本発明の一つの目的は、特定のユーザーの睡眠中に、特定のユーザーに柔らかい風を供給することができ、特定のユーザーが風にあたって風邪を引いてしまうという問題を効果的に防止すると同時に、特定のユーザーに静かで快適な睡眠環境を供給し、特定のユーザーの睡眠品質を向上させ、制御が正確で、ファンの使用寿命に影響を与えないファンの制御方法を提供することである。
【０００５】
本発明のもう一つの目的は、ファンを提供することである。
【課題を解決するための手段】
【０００６】
上記目的を実現するために、本発明の一形態の実施例は、ファンの制御方法を提供し、前記ファンの制御方法は、情景風作動モードに入るように前記ファンを制御した後、前記情景風作動モードに対応する特定のユーザーの睡眠時間を取得するステップと、前記特定のユーザーの睡眠時間に基づいて、前記ファンのランク制御時系列を取得するステップと、前記ファンのランク制御時系列に基づいて、前記ファンを制御して、前記ファンの送風風速を調節するステップと、を含む。
【０００７】
本発明の実施例に係るファンの制御方法は、情景風作動モードに入るようにファンを制御した後、情景風作動モードに対応する特定のユーザーの睡眠時間を取得し、特定のユーザーの睡眠時間に基づいて、ファンのランク制御時系列を取得し、ファンのランク制御時系列に基づいて、ファンを制御して、ファンの送風風速を調節することにより、特定のユーザーの睡眠中に、特定のユーザーに柔らかい風を供給することができ、特定のユーザーが風にあたって風邪を引いてしまうという問題を効果的に防止すると同時に、特定のユーザーに静かで快適な睡眠環境を供給し、特定のユーザーの睡眠品質を向上させ、制御が正確で、ファンの使用寿命に影響を与えない。
【０００８】
本発明の一実施例によれば、前記特定のユーザーの睡眠時間に基づいて、前記ファンのランク制御時系列を取得するステップは、前記特定のユーザーの睡眠時間に基づいて、レム睡眠状態とノンレム睡眠状態とを含む前記特定のユーザーの睡眠状態を判断するステップと、前記特定のユーザーが前記レム睡眠状態にある場合に、ユーザーによって設定されたランクを基本参照変数として、第１のランク制御時系列を生成するステップと、前記特定のユーザーが前記ノンレム睡眠状態にある場合に、前記第１のランク制御時系列に基づいて、第２のランク制御時系列を生成するステップと、を含む。
【０００９】
本発明の一実施例によれば、前記特定のユーザーが前記レム睡眠状態にある場合に、前記第１のランク制御時系列に基づいて、前記ファンを制御するステップは、前記特定のユーザーの睡眠時間が第１の所定睡眠時間に達した場合に、第２の風速ランクで第１の所定時間作動するように前記ファンを制御した後、第３の風速ランクで作動するように前記ファンを制御し、前記第３の風速ランクで前記第１の所定時間作動するように前記ファンを制御した後、前記第２の風速ランクで前記第１の所定時間作動するように前記ファンを制御し、前記特定のユーザーの睡眠時間が第２の所定睡眠時間に達するまで順次に繰り返すステップと、前記特定のユーザーの睡眠時間が前記第２の所定睡眠時間に達した場合に、前記第２の風速ランクで第２の所定時間作動するように前記ファンを制御した後、前記第３の風速ランクで作動するように前記ファンを制御し、前記第３の風速ランクで前記第２の所定時間作動するように前記ファンを制御した後、第１の風速ランクで作動するように前記ファンを制御し、前記第１の風速ランクで前記第２の所定時間作動するように前記ファンを制御した後、再び前記第１の風速ランクで作動するように前記ファンを制御し、前記特定のユーザーの睡眠時間が第３の所定睡眠時間に達するまで順次に繰り返すステップと、を含み、前記第２の風速ランクが前記第１の風速ランクより大きく、且つ前記第３の風速ランクより小さい。
【００１０】
さらに、前記特定のユーザーの睡眠時間が前記第１の所定睡眠時間に達した後、さらに、第１の所定角度で首振りするように前記ファンを制御する。
【００１１】
本発明の一実施例によれば、前記特定のユーザーが前記ノンレム睡眠状態にある場合に、前記第２のランク制御時系列に基づいて、前記ファンを制御するステップは、第１の風速ランクで第３の所定時間作動するように前記ファンを制御した後、第２の風速ランクで作動するように前記ファンを制御し、前記第２の風速ランクで前記第３の所定時間作動するように前記ファンを制御した後、前記第１の風速ランクで前記第３の所定時間作動するように前記ファンを制御し、前記特定のユーザーの睡眠時間が第４の所定睡眠時間に達するまで順次に繰り返すステップと、前記特定のユーザーの睡眠時間が前記第４の所定睡眠時間に達した場合に、前記第２の風速ランクで第４の所定時間作動するように前記ファンを制御した後、前記第２の風速ランクで作動するように前記ファンを制御し、前記第２の風速ランクで前記第４の所定時間作動するように前記ファンを制御した後、第１の風速ランクで前記第４の所定時間作動するように前記ファンを制御し、前記特定のユーザーの睡眠時間が第５の所定睡眠時間に達するまで順次に繰り返すステップと、前記特定のユーザーの睡眠時間が前記第５の所定睡眠時間に達した場合に、前記第１の風速ランクで第５の所定時間作動するように前記ファンを制御した後、前記第２の風速ランクで作動するように前記ファンを制御し、前記第２の風速ランクで前記第５の所定時間作動するように前記ファンを制御した後、前記第１の風速ランクで作動するように前記ファンを制御し、前記第１の風速ランクで前記第５の所定時間作動するように前記ファンを制御した後、再び前記第１の風速ランクで作動するように前記ファンを制御し、前記特定のユーザーの睡眠時間が第６の所定睡眠時間に達するまで順次に繰り返すステップと、を含み、前記第２の風速ランクが前記第１の風速ランクより大きい。
【００１２】
さらに、前記特定のユーザーの睡眠時間が前記第６の所定睡眠時間に達した後、さらに、第２の所定角度で首振りするように前記ファンを制御するとともに、前記第１の風速ランクで作動することを維持するように前記ファンを制御する。
【００１３】
本発明の一実施例によれば、前記特定のユーザーが前記睡眠状態から目覚めた場合に、第１の風速ランクで第６の所定時間作動するように前記ファンを制御した後、第３の風速ランクで作動するように前記ファンを制御し、前記第３の風速ランクで前記第６の所定時間作動するように前記ファンを制御した後、第２の風速ランクで前記第６の所定時間作動するように前記ファンを制御し、前記特定のユーザーの目覚め時間が第１の所定目覚め時間に達するまで順次に繰り返し、前記特定のユーザーの目覚め時間が前記第１の所定目覚め時間に達した場合に、前記第２の風速ランクで第７の所定時間作動するように前記ファンを制御した後、前記第３の風速ランクで作動するように前記ファンを制御し、前記第３の風速ランクで前記第７の所定時間作動するように前記ファンを制御した後、前記第１の風速ランクで作動するように前記ファンを制御し、前記第１の風速ランクで前記第７の所定時間作動するように前記ファンを制御した後、再び前記第１の風速ランクで作動するように前記ファンを制御し、前記ファンがターンオフ命令を受信して作動を停止するまで、順次に繰り返し、前記第２の風速ランクが前記第１の風速ランクより大きく、且つ前記第３の風速ランクより小さい。
【００１４】
さらに、前記特定のユーザーが前記睡眠状態から目覚めた後、さらに、第３の所定角度で首振りするように前記ファンを制御する。
【００１５】
本発明の一実施例によれば、前記ファンの送風風速が３０回転/分以上、且つ１８０回転/分以下である。
【００１６】
本発明の一実施例によれば、上記ファンの制御方法は、前記特定のユーザーの人体パラメータを取得し、前記特定のユーザーの人体パラメータに基づいて、風速調節命令及びファン首振り調節命令を生成して、前記ファンの送風風速及び前記ファンの首振り角度を調節するステップをさらに含む。
【００１７】
本発明の一実施例によれば、上記ファンの制御方法は、前記特定のユーザーの画像情報を取得し、前記特定のユーザーの画像情報に基づいて、前記特定のユーザーの睡眠状態及び睡眠品質を取得し、前記特定のユーザーの睡眠状態及び睡眠品質に基づいて、前記ファンのランク制御時系列を修正するステップをさらに含む。
【００１８】
さらに、上記ファンの制御方法は、前記特定のユーザーの睡眠状態及び睡眠品質を移動端末に送信するステップをさらに含む。
【００１９】
さらに、上記ファンの制御方法は、前記特定のユーザーの音声情報を取得し、前記特定のユーザーの音声情報を移動端末に送信し、前記移動端末の音声情報を受信するステップをさらに含む。
【００２０】
本発明の一実施例によれば、前記ファンのランク制御時系列に基づいて、前記ファンを制御する場合に、さらに、下記数式により前記ファンの送風風速を制御する。
【数１】
2019507846.tif 000003
ただし、h(t)が応答関数であり、δが減衰指数であり、ζが減衰比であり、ωｎが非減衰振動周波数であり、tが時間である。
【００２１】
上記目的を実現するために、本発明の別の形態の実施例は、ファンを提供し、前記ファンは、ファンブレードと、回転するように前記ファンブレードを駆動するモータと、情景風作動モードに入るように前記ファンを制御した後、前記情景風作動モードに対応する特定のユーザーの睡眠時間を取得し、前記特定のユーザーの睡眠時間に基づいて、前記ファンのランク制御時系列を取得し、前記ファンのランク制御時系列に基づいて、前記ファンを制御して、前記ファンの送風風速を調節するメイン制御モジュールと、を含む。
【００２２】
本発明の実施例に係るファンは、メイン制御モジュールが、情景風作動モードに入るようにファンを制御した後、情景風作動モードに対応する特定のユーザーの睡眠時間を取得し、特定のユーザーの睡眠時間に基づいて、ファンのランク制御時系列を取得し、ファンのランク制御時系列に基づいてファンを制御して、ファンの送風風速を調節することにより、特定のユーザーの睡眠中に、特定のユーザーに柔らかい風を供給することができ、特定のユーザーが風にあたって風邪を引いてしまうという問題を効果的に防止すると同時に、特定のユーザーに静かで快適な睡眠環境を供給し、特定のユーザーの睡眠品質を向上させ、制御が正確で、ファンの使用寿命に影響を与えない。
【００２３】
本発明の一実施例によれば、前記メイン制御モジュールが前記特定のユーザーの睡眠時間に基づいて、前記ファンのランク制御時系列を取得する場合に、前記メイン制御モジュールは、前記特定のユーザーの睡眠時間に基づいて、レム睡眠状態とノンレム睡眠状態とを含む前記特定のユーザーの睡眠状態を判断し、前記特定のユーザーが前記レム睡眠状態にある場合に、前記メイン制御モジュールは、ユーザーによって設定されたランクを基本参照変数として、第１のランク制御時系列を生成し、前記特定のユーザーが前記ノンレム睡眠状態にある場合に、前記メイン制御モジュールは、前記第１のランク制御時系列に基づいて、第２のランク制御時系列を生成する。
【００２４】
本発明の一実施例によれば、前記特定のユーザーが前記レム睡眠状態にある場合に、前記メイン制御モジュールは、前記第１のランク制御時系列に基づいて、前記ファンを制御し、前記特定のユーザーの睡眠時間が第１の所定睡眠時間に達した場合に、前記メイン制御モジュールは、第２の風速ランクで第１の所定時間作動するように前記ファンを制御した後、第３の風速ランクで作動するように前記ファンを制御し、前記第３の風速ランクで前記第１の所定時間作動するように前記ファンを制御した後、前記第２の風速ランクで前記第１の所定時間作動するように前記ファンを制御し、前記特定のユーザーの睡眠時間が第２の所定睡眠時間に達するまで順次に繰り返し、前記特定のユーザーの睡眠時間が前記第２の所定睡眠時間に達した場合に、前記メイン制御モジュールは、前記第２の風速ランクで第２の所定時間作動するように前記ファンを制御した後、前記第３の風速ランクで作動するように前記ファンを制御し、前記第３の風速ランクで前記第２の所定時間作動するように前記ファンを制御した後、第１の風速ランクで作動するように前記ファンを制御し、前記第１の風速ランクで前記第２の所定時間作動するように前記ファンを制御した後、再び前記第１の風速ランクで作動するように前記ファンを制御し、前記特定のユーザーの睡眠時間が第３の所定睡眠時間に達するまで順次に繰り返し、前記第２の風速ランクが前記第１の風速ランクより大きく、且つ前記第３の風速ランクより小さい。
【００２５】
さらに、前記特定のユーザーの睡眠時間が前記第１の所定睡眠時間に達した後、前記メイン制御モジュールは、さらに、第１の所定角度で首振りするように前記ファンを制御する。
【００２６】
本発明の一実施例によれば、前記特定のユーザーが前記ノンレム睡眠状態にある場合に、前記メイン制御モジュールは、前記第２のランク制御時系列に基づいて、前記ファンを制御し、前記メイン制御モジュールは、第１の風速ランクで第３の所定時間作動するように前記ファンを制御した後、第２の風速ランクで作動するように前記ファンを制御し、前記第２の風速ランクで前記第３の所定時間作動するように前記ファンを制御した後、前記第１の風速ランクで前記第３の所定時間作動するように前記ファンを制御し、前記特定のユーザーの睡眠時間が第４の所定睡眠時間に達するまで順次に繰り返し、前記特定のユーザーの睡眠時間が前記第４の所定睡眠時間に達すした場合に、前記メイン制御モジュールは、前記第２の風速ランクで第４の所定時間作動するように前記ファンを制御した後、前記第２の風速ランクで作動するように前記ファンを制御し、前記第２の風速ランクで前記第４の所定時間作動するように前記ファンを制御した後、第１の風速ランクで前記第４の所定時間作動するように前記ファンを制御し、前記特定のユーザーの睡眠時間が第５の所定睡眠時間に達するまで順次に繰り返し、前記特定のユーザーの睡眠時間が前記第５の所定睡眠時間に達した場合に、前記メイン制御モジュールは、前記第１の風速ランクで第５の所定時間作動するように前記ファンを制御した後、前記第２の風速ランクで作動するように前記ファンを制御し、前記第２の風速ランクで前記第５の所定時間作動するように前記ファンを制御した後、前記第１の風速ランクで作動するように前記ファンを制御し、前記第１の風速ランクで前記第５の所定時間作動するように前記ファンを制御した後、再び前記第１の風速ランクで作動するように前記ファンを制御し、前記特定のユーザーの睡眠時間が第６の所定睡眠時間に達するまで順次に繰り返し、前記第２の風速ランクが前記第１の風速ランクより大きい。
【００２７】
さらに、前記特定のユーザーの睡眠時間が前記第６の所定睡眠時間に達した後、前記メイン制御モジュールは、さらに、第２の所定角度で首振りするように前記ファンを制御し、前記第１の風速ランクで作動することを維持するように前記ファンを制御する。
【００２８】
本発明の一実施例によれば、前記特定のユーザーが前記睡眠状態から目覚めた場合に、前記メイン制御モジュールは、さらに、第１の風速ランクで第６の所定時間作動するように前記ファンを制御した後、第３の風速ランクで作動するように前記ファンを制御し、前記第３の風速ランクで前記第６の所定時間作動するように前記ファンを制御した後、第２の風速ランクで前記第６の所定時間作動するように前記ファンを制御し、前記特定のユーザーの目覚め時間が第１の所定目覚め時間に達するまで順次に繰り返し、前記特定のユーザーの目覚め時間が前記第１の所定目覚め時間に達した場合に、前記メイン制御モジュールは、前記第２の風速ランクで第７の所定時間作動するように前記ファンを制御した後、前記第３の風速ランクで作動するように前記ファンを制御し、前記第３の風速ランクで前記第７の所定時間作動するように前記ファンを制御した後、前記第１の風速ランクで作動するように前記ファンを制御し、前記第１の風速ランクで前記第７の所定時間作動するように前記ファンを制御した後、再び前記第１の風速ランクで作動するように前記ファンを制御し、前記ファンがターンオフ命令を受信して作動を停止するまで、順次に繰り返し、前記第２の風速ランクが前記第１の風速ランクより大きく、且つ前記第３の風速ランクより小さい。
【００２９】
さらに、前記特定のユーザーが前記睡眠状態から目覚めた後、前記メイン制御モジュールは、さらに、第３の所定角度で首振りするように前記ファンを制御する。
【００３０】
本発明の一実施例によれば、前記ファンの送風風速が３０回転/分以上、且つ１８０回転/分以下である。
【００３１】
本発明の一実施例によれば、上記ファンは、前記特定のユーザーの人体パラメータを取得するための体感取得モジュールをさらに含み、前記メイン制御モジュールは、前記特定のユーザーの人体パラメータに基づいて、風速調節命令及びファン首振り調節命令を生成して、前記ファンの送風風速及び前記ファンの首振り角度を調節する。
【００３２】
本発明の一実施例によれば、上記ファンは、前記特定のユーザーの画像情報を取得するための撮像装置をさらに含み、前記メイン制御モジュールは、前記画像情報に基づいて、前記特定のユーザーの睡眠状態及び睡眠品質を取得し、前記特定のユーザーの睡眠状態及び睡眠品質に基づいて、前記ファンのランク制御時系列を修正する。
【００３３】
さらに、上記ファンは、通信モジュールをさらに含み、前記メイン制御モジュールは、前記通信モジュールを介して前記特定のユーザーの睡眠状態及び睡眠品質を移動端末に送信する。
【００３４】
さらに、上記ファンは、前記特定のユーザーの音声情報を取得するための音声取得モジュールをさらに含み、前記メイン制御モジュールは、前記通信モジュールを介して前記特定のユーザーの音声情報を前記移動端末に送信し、前記通信モジュールを介して前記移動端末の音声情報を受信する。
【００３５】
本発明の一実施例によれば、前記メイン制御モジュールは、前記ファンのランク制御時系列に基づいて、前記ファンを制御する場合に、さらに、下記数式により前記ファンの送風風速を制御する。
【数２】
2019507846.tif 000004
ただし、h(t)が応答関数であり、δが減衰指数であり、ζが減衰比であり、ωｎが非減衰振動周波数であり、tが時間である。
【図面の簡単な説明】
【００３６】
【図１】本発明の実施例に係るファンの制御方法のフローチャートである。
【図２ａ】本発明の一実施例に係る第１のランク制御時系列の概略図である。
【図２ｂ】本発明の一実施例に係る第１のランク制御時系列の概略図である。
【図３ａ】本発明の一実施例に係る第２のランク制御時系列の概略図である。
【図３ｂ】本発明の一実施例に係る第２のランク制御時系列の概略図である。
【図３ｃ】本発明の一実施例に係る第２のランク制御時系列の概略図である。
【図４ａ】本発明の一実施例に係る特定のユーザーが目覚めた後のランク制御時系列の概略図である。
【図４ｂ】本発明の一実施例に係る特定のユーザーが目覚めた後のランク制御時系列の概略図である。
【図５】本発明の一実施例に係る減衰振動グラフである。
【図６】本発明の一実施例に係るファンの概略構成図である。
【図７】本発明の別の実施例に係るファンの概略構成図である。
【発明を実施するための形態】
【００３７】
以下、本発明の実施例を詳細に説明する。前記実施例における例が図面に示され、同一又は類似する符号は、常に同一又は類似する部品、或いは、同一又は類似する機能を有する部品を表す。以下に、図面を参照しながら説明される実施例は例示するものであり、本発明を解釈することを旨とし、本発明を限定するものと理解してはならない。
【００３８】
以下、図面を参照して本発明の実施例に係るファンの制御方法及びファンについて説明する。
【００３９】
図１は、本発明の実施例に係るファンの制御方法のフローチャートである。図１に示すように、当該ファンの制御方法は、以下のステップＳ１と、ステップＳ２と、ステップＳ３とを含む。
【００４０】
ステップＳ１は、情景風作動モードに入るようにファンを制御した後、情景風作動モードに対応する特定のユーザーの睡眠時間を取得する。ここで、特定のユーザーとは、赤ちゃんや妊婦さんなどの特殊なグループを指す。
【００４１】
具体的には、特定のユーザー、例えば、赤ちゃんが寝始める場合に、赤ちゃんの親などは、ボタン、リモートコントローラ又は移動端末などを介して、情景風作動モードに入るようにファンを制御することができ、ここで、リモートコントローラは、赤外線や、無線周波数、ＷｉＦｉなどの無線通信方式により、ファンと通信することができる。
【００４２】
ステップＳ２は、特定のユーザーの睡眠時間に基づいて、ファンのランク制御時系列を取得する。
【００４３】
本発明の一実施例によれば、特定のユーザーの睡眠時間に基づいて、ファンのランク制御時系列を取得するステップは、特定のユーザーの睡眠時間に基づいて、レム睡眠状態とノンレム睡眠状態とを含む特定のユーザーの睡眠状態を判断するステップと、特定のユーザーがレム睡眠状態にある場合に、ユーザーによって設定されたランクを基本参照変数として、第１のランク制御時系列を生成するステップと、特定のユーザーがノンレム睡眠状態にある場合に、第１のランク制御時系列に基づいて、第２のランク制御時系列を生成するステップと、を含む。
【００４４】
具体的には、特定のユーザー、例えば、赤ちゃんが睡眠に入る場合に、まずレム睡眠状態に入り、その後、ノンレム睡眠状態に入る。赤ちゃんが寝始める場合に、赤ちゃんの親などは、ボタン、リモートコントローラ又は移動端末などを介して、情景風作動モードに入るようにファンを制御すると同時に、ファンの初期ランクを設定することができる。この場合に、ファンは、ユーザーによって設定されたランクを基本参照変数として、第１のランク制御時系列及び第２のランク制御時系列を生成し、その後、生成された第１のランク制御時系列及び第２のランク制御時系列に基づいて、ファンを制御して、ファンの送風風速を調節することにより、赤ちゃんの睡眠中に、赤ちゃんに柔らかく快適な風速を供給して、赤ちゃんが風邪を引くことを防止し、赤ちゃんにとって好適な睡眠環境を確保する。
【００４５】
ステップＳ３は、ファンのランク制御時系列に基づいて、ファンを制御して、ファンの送風風速を調節する。
【００４６】
本発明の一実施例によれば、特定のユーザーがレム睡眠状態にある場合に、第１のランク制御時系列に基づいて、ファンを制御するステップは、特定のユーザーの睡眠時間が第１の所定睡眠時間に達した場合に、第２の風速ランクで第１の所定時間作動するようにファンを制御した後、第３の風速ランクで作動するようにファンを制御し、第３の風速ランクで第１の所定時間作動するようにファンを制御した後、第２の風速ランクで第１の所定時間作動するようにファンを制御し、特定のユーザーの睡眠時間が第２の所定睡眠時間に達するまで順次に繰り返すステップと、特定のユーザーの睡眠時間が第２の所定睡眠時間に達した場合に、第２の風速ランクで第２の所定時間作動するようにファンを制御した後、第３の風速ランクで作動するようにファンを制御し、第３の風速ランクで第２の所定時間作動するようにファンを制御した後、第１の風速ランクで作動するようにファンを制御し、第１の風速ランクで第２の所定時間作動するようにファンを制御した後、再び第１の風速ランクで作動するようにファンを制御し、特定のユーザーの睡眠時間が第３の所定睡眠時間に達するまで順次に繰り返すステップと、を含み、ここで、第２の風速ランクが第１の風速ランクより大きく、且つ第３の風速ランクより小さい。
【００４７】
また、特定のユーザーの睡眠時間が第１の所定睡眠時間に達した後、さらに、第１の所定角度で首振りするようにファンを制御する。
【００４８】
具体的には、特定のユーザー、例えば、赤ちゃんが寝始めてから１０〜２０分に達した場合に、即ち、赤ちゃんの睡眠時間が第１の所定睡眠時間に達した場合に、ファンは、第１のランク制御時系列に進む。図２ａに示すように、まず、第２の風速ランクで第１の所定時間△ｔ１作動するようにファンを制御し、その後、第３の風速ランクで第１の所定時間△ｔ１作動するようにファンを制御し、次に第２の風速ランクで第１の所定時間△ｔ１作動するようにファンを制御し、次に第２の風速ランクで第１の所定時間△ｔ１作動するようにファンを制御し、……、赤ちゃんの睡眠時間が第２の所定睡眠時間、例えば、１時間３０分に達するまで順次に繰り返す。その後、図２ｂに示すように、第２の風速ランクで第２の所定時間△ｔ２作動するようにファンを制御し、その後、第３の風速ランクで第２の所定時間△ｔ２作動するようにファンを制御し、次に第１の風速ランクで第２の所定時間△ｔ２作動するようにファンを制御し、次に第１の風速ランクで第２の所定時間△ｔ２作動するようにファンを制御し、……、赤ちゃんの睡眠時間が第３の所定睡眠時間、例えば、２時間３０分に達するまで順次に繰り返すと同時に、第１の所定角度、例えば、９０°で首振りするようにファンを制御する。ここで、第１の所定時間△ｔ１と第２の所定時間△ｔ２とが同じであってもよく、例えば、１５秒であってもよい。
【００４９】
本発明の一実施例によれば、特定のユーザーがノンレム睡眠状態にある場合に、第２のランク制御時系列に基づいて、ファンを制御するステップは、第１の風速ランクで第３の所定時間作動するようにファンを制御した後、第２の風速ランクで作動するようにファンを制御し、第２の風速ランクで第３の所定時間作動するようにファンを制御した後、第１の風速ランクで第３の所定時間作動するようにファンを制御し、特定のユーザーの睡眠時間が第４の所定睡眠時間に達するまで順次に繰り返すステップと、特定のユーザーの睡眠時間が第４の所定睡眠時間に達した場合に、第２の風速ランクで第４の所定時間作動するようにファンを制御した後、第２の風速ランクで作動するようにファンを制御し、第２の風速ランクで第４の所定時間作動するようにファンを制御した後、第１の風速ランクで第４の所定時間作動するようにファンを制御し、特定のユーザーの睡眠時間が第５の所定睡眠時間に達するまで順次に繰り返すステップと、特定のユーザーの睡眠時間が第５の所定睡眠時間に達した場合に、第１の風速ランクで第５の所定時間作動するようにファンを制御した後、第２の風速ランクで作動するようにファンを制御し、第２の風速ランクで第５の所定時間作動するようにファンを制御した後、第１の風速ランクで作動するようにファンを制御し、第１の風速ランクで第５の所定時間作動するようにファンを制御した後、再び第１の風速ランクで作動するようにファンを制御し、特定のユーザーの睡眠時間が第６の所定睡眠時間に達するまで順次に繰り返すステップと、を含み、ここで、第２の風速ランクが第１の風速ランクより大きい。
【００５０】
また、特定のユーザーの睡眠時間が第６の所定睡眠時間に達した後、さらに、第２の所定角度で首振りするようにファンを制御し、第１の風速ランクで作動することを維持するようにファンを制御する。
【００５１】
具体的には、特定のユーザー、例えば、赤ちゃんがノンレム睡眠状態に入る場合に、例えば、赤ちゃんの睡眠時間が第３の所定睡眠時間、例えば、２時間３０分に達した場合に、図３ａに示すように、まず、第１の風速ランクで第３の所定時間△ｔ３作動するようにファンを制御し、その後、第２の風速ランクで第３の所定時間△ｔ３作動するようにファンを制御し、次に第１の風速ランクで第３の所定時間△ｔ３作動するようにファンを制御し、次に第１の風速ランクで第３の所定時間△ｔ３作動するようにファンを制御し、……、赤ちゃんの睡眠時間が第４の所定睡眠時間、例えば、３時間２０分に達するまで順次に繰り返す。その後、図３ｂに示すように、第２の風速ランクで第４の所定時間△ｔ４作動するようにファンを制御し、その後、第２の風速ランクで第４の所定時間△ｔ４作動するようにファンを制御し、次に第１の風速ランクで第４の所定時間△ｔ４作動するようにファンを制御し、次に第１の風速ランクで第４の所定時間△ｔ４作動するようにファンを制御し、……、赤ちゃんの睡眠時間が第５の所定睡眠時間、例えば、４時間１０分に達するまで順次に繰り返す。その後、図３ｃに示すように、第１の風速ランクで第５の所定時間△ｔ５作動するようにファンを制御し、その後、第２の風速ランクで第５の所定時間△ｔ５作動するようにファンを制御し、次に第１の風速ランクで第５の所定時間△ｔ５作動するようにファンを制御し、次に第１の風速ランクで第５の所定時間△ｔ５作動するようにファンを制御し、……、３０分順次に繰り返した後、即ち、赤ちゃんの睡眠時間が第６の所定睡眠時間、例えば、４時間４０分に達した後、赤ちゃんが睡眠状態から目覚めるまで第２の所定角度、例えば、１２０°で首振りするようにファンを制御すると同時に、第１の風速ランクで作動することを維持するようにファンを制御する。ここで、第３の所定時間△ｔ３、第４の所定時間△ｔ４及び第５の所定時間△ｔ５が、同じであってもよく、例えば、１５秒であってもよい。
【００５２】
本発明の一実施例によれば、特定のユーザーが睡眠状態から目覚めた場合に、第１の風速ランクで第６の所定時間作動するようにファンを制御した後、第３の風速ランクで作動するようにファンを制御し、第３の風速ランクで第６の所定時間作動するようにファンを制御した後、第２の風速ランクで第６の所定時間作動するようにファンを制御し、特定のユーザーの目覚め時間が第１の所定目覚め時間に達するまで順次に繰り返す。特定のユーザーの目覚め時間が第１の所定目覚め時間に達した場合に、第２の風速ランクで第７の所定時間作動するようにファンを制御した後、第３の風速ランクで作動するようにファンを制御し、第３の風速ランクで第７の所定時間作動するようにファンを制御した後、第１の風速ランクで作動するようにファンを制御し、第１の風速ランクで第７の所定時間作動するようにファンを制御した後、再び第１の風速ランクで作動するようにファンを制御し、ファンがターンオフ命令を受信して作動を停止するまで、順次に繰り返す。ここで、第２の風速ランクが第１の風速ランクより大きく、且つ第３の風速ランクより小さい。
【００５３】
また、前記特定のユーザーが前記睡眠状態から目覚めた後、さらに、第３の所定角度で首振りするように前記ファンを制御する。
【００５４】
具体的には、特定のユーザー、例えば、赤ちゃんが睡眠状態から目覚めた場合に、図４ａに示すように、まず、第１の風速ランクで第６の所定時間△ｔ６作動するようにファンを制御し、その後、第３の風速ランクで第６の所定時間△ｔ６作動するようにファンを制御し、次に第２の風速ランクで第６の所定時間△ｔ６作動するようにファンを制御し、次に第２の風速ランクで第６の所定時間△ｔ６作動するようにファンを制御し、……、赤ちゃんの目覚め時間が第１の所定目覚め時間、例えば、１時間３０分に達するまで順次に繰り返す。その後、図４ｂに示すように第２の風速ランクで、第７の所定時間△ｔ７作動するようにファンを制御し、その後、第３の風速ランクで第７の所定時間△ｔ７作動するようにファンを制御し、次に第１の風速ランクで第７の所定時間△ｔ７作動するようにファンを制御し、次に第１の風速ランクで第７の所定時間△ｔ７作動するようにファンを制御し、……、ファンがターンオフするまで順次に繰り返すと同時に、第３の所定角度、例えば、９０°で首振りするようにファンを制御する。ここで、第６の所定時間△ｔ６と、第７の所定時間△ｔ７とが同じであってもよく、例えば、１０秒であってもよい。
【００５５】
本発明の実施例において、ファンの送風風速が３０回転/分以上、且つ１８０回転/分以下である。
【００５６】
さらに、本発明の実施例において、第１の風速ランクに対応するファンの送風風速が、３０回転/分以上、且つ５０回転/分より小さくてもよく、第２の風速ランクに対応するファンの送風風速が、５０回転/分以上、且つ１００回転/分より小さくてもよく、第３の風速ランクに対応するファンの送風風速が、１００回転/分以上、且つ１８０回転/分以下であってもよい。例えば、回転速度の閉ループ制御方式により、ファンにおけるＤＣインバータモータを制御して、ファンの急速起動及び低速閉ループ制御を実現し、低速トルク補償アルゴリズムにより、ファンの送風風速を補償して、ファンの送風風速の安定を確保する。ＤＣインバータモータが低損失や低ノイズなどの利点を有するため、特定のユーザーに必要する良好な睡眠環境を供給し、特定のユーザーをぐっすり眠らせることができる。
【００５７】
なお、ファンのランク制御時系列に基づいてファンを制御する場合に、さらに、下記数式（１）により、ファンの送風風速を制御し、即ち、減衰振動グラフ制御アルゴリズムにより制御し、対応する減衰振動グラフが図５に示される。
【数３】
2019507846.tif 000005
ただし、h(t)が応答関数であり、δが減衰指数であり、ζが減衰比であり、ωｎが非減衰振動周波数であり、tが時間である。
【００５８】
減衰振動グラフ制御アルゴリズムによりＤＣインバータモータを制御することにより、ファンの送風風速が、人が扇子であおぐことにさらに近くなり、即ち、微風制御を実現することができ、特定のユーザー、例えば、赤ちゃんや妊婦さんなどに快適でクールな感覚を与え、特定のユーザーが風邪を引く確率を大きく低減すると同時に、ＤＣインバータモータの低電力作動を実現し、省エネー及び寿命延長の効果を達成する。
【００５９】
本発明の一実施例において、上記ファンの制御方法は、特定のユーザーの人体パラメータを取得し、特定のユーザーの人体パラメータに基づいて、風速調節命令及びファン首振り調節命令を生成して、ファンの送風風速及びファンの首振り角度を調節するステップをさらに含む。
【００６０】
ここで、人体パラメータは、特定のユーザーの体温、表情、苛立たしさ、状態などを含むことができる。特定のユーザーの人体パラメータに基づいて、ファンの送風風速及びファンの首振り角度を微調整することにより、ファンの送風速度及びファンの首振り角度が、特定のユーザーの実際のニーズにさらに近くなり、特定のユーザーの快適さが向上する。例えば、赤ちゃんが泣いている場合に、ファンの首振り角度を調節して（例えば、３０°〜１８０°の間で調節する）、赤ちゃんをファンから遠ざけることができると同時に、ファンの送風風速を調節して、赤ちゃんが泣いているとき、汗をかかないことや、風邪を引かないことが保証され、自己適応が達成される。
【００６１】
本発明の一実施例において、上記ファンの制御方法は、特定のユーザーの画像情報を取得し、特定のユーザーの画像情報に基づいて、特定のユーザーの睡眠状態及び睡眠品質を取得し、特定のユーザーの睡眠状態及び睡眠品質に基づいて、ファンのランク制御時系列を修正するステップをさらに含む。さらに、上記ファンの制御方法は、特定のユーザーの睡眠状態及び睡眠品質を移動端末に送信するステップをさらに含む。
【００６２】
具体的には、カメラにより、特定のユーザー、例えば、赤ちゃんの画像情報を収集し、その後、画像情報を比較分析して、赤ちゃんの睡眠状態及び睡眠品質を取得し、赤ちゃんの睡眠状態及び睡眠品質に基づいて、ファンのランク制御時系列を修正し、修正されたランク制御時系列に基づいて、ファンを制御する。同時に、赤ちゃんの睡眠状態及び睡眠品質を赤ちゃんの親などの移動端末、例えば、携帯電話に送信することができるし、赤ちゃんの画像情報を移動端末に直接送信して、動画共有などを実現することもできるため、赤ちゃんの親などが、赤ちゃんの情報を遠隔でリアルタイムに把握することができ、赤ちゃんの親などがさらに安心する。
【００６３】
本発明の一実施例において、上記ファンの制御方法は、特定のユーザーの音声情報を取得し、特定のユーザーの音声情報を移動端末に送信し、移動端末の音声情報を受信するステップをさらに含む。
【００６４】
具体的には、マイクロフォンにより特定のユーザーの睡眠中の音声を取得し、特定のユーザーの音声を特定のユーザーの関係者の移動端末、例えば、携帯電話に送信する。例えば、特定のユーザー、例えば、赤ちゃんが目覚めた場合に、赤ちゃんは、親を呼びかけ、この場合に、赤ちゃんの音声を赤ちゃんの親などの移動端末、例えば、携帯電話に送信することができ、赤ちゃんの親などが赤ちゃんの呼びかけを聞いた後、赤ちゃんと通話して、遠隔で赤ちゃんを見守る。
【００６５】
本発明の実施例に係るファンの制御方法は、情景風作動モードに入るようにファンを制御した後、情景風作動モードに対応する特定のユーザーの睡眠時間を取得し、特定のユーザーの睡眠時間に基づいて、ファンのランク制御時系列を取得し、ファンのランク制御時系列に基づいて、ファンを制御してファンの送風風速を調節することにより、特定のユーザーの睡眠中に、特定のユーザーに柔らかい風を供給することができ、特定のユーザーが風にあたって風邪を引いてしまうという問題を効果的に防止すると同時に、特定のユーザーに静かで快適な睡眠環境を供給し、特定のユーザーの睡眠品質を向上させ、制御が正確で、ファンの使用寿命に影響を与えない。
【００６６】
図６は、本発明の一実施例に係るファンの概略構成図である。図６に示すように、当該ファンは、ファンブレード１０と、モータ２０と、メイン制御モジュール３０と、を含む。
【００６７】
ここで、モータ２０は、回転するようにファンブレード１０を駆動し、メイン制御モジュール３０は、情景風作動モードに入るようにファンを制御した後、情景風作動モードに対応する特定のユーザーの睡眠時間を取得し、特定のユーザーの睡眠時間に基づいて、ファンのランク制御時系列を取得し、ファンのランク制御時系列に基づいて、ファンを制御して、ファンの送風風速を調節する。ここで、特定のユーザーとは、赤ちゃんや妊婦さんなどの特殊なグループを指す。
【００６８】
具体的には、特定のユーザー、例えば、赤ちゃんが寝始める場合に、赤ちゃんの親などは、ボタン、リモートコントローラ又は移動端末などを介して、情景風作動モードに入るようにファンを制御することができる。ここで、リモートコントローラは、赤外線、無線周波数、Ｗｉ−Ｆｉなどの無線通信方式により、ファンと通信することができる。情景風作動モードに入るようにファンを制御した後、メイン制御モジュール３０は、赤ちゃんの睡眠時間を取得し、赤ちゃんの睡眠時間に基づいて、ファンのランク制御時系列を取得する。
【００６９】
本発明の一実施例において、メイン制御モジュール３０が特定のユーザーの睡眠時間に基づいて、ファンのランク制御時系列を取得する場合に、メイン制御モジュール３０は、特定のユーザーの睡眠時間に基づいて、レム睡眠状態と、ノンレム睡眠状態とを含む特定のユーザーの睡眠状態を判断する。特定のユーザーがレム睡眠状態にある場合に、メイン制御モジュール３０は、ユーザーによって設定されたランクを基本参照変数として、第１のランク制御時系列を生成する。特定のユーザーがノンレム睡眠状態にある場合に、メイン制御モジュール３０は、第１のランク制御時系列に基づいて、第２のランク制御時系列を生成する。
【００７０】
つまり、特定のユーザー、例えば、赤ちゃんが睡眠に入る場合に、まずレム睡眠状態に入り、その後、ノンレム睡眠状態に入ることになる。赤ちゃんが寝始める場合に、赤ちゃんの親などは、ボタン、リモートコントローラ又は移動端末などを介して、情景風作動モードに入るようにファンを制御すると同時に、ファンの初期ランクを設定することができ、この場合に、メイン制御モジュール３０は、ユーザーによって設定されたランクを基本参照変数として、第１のランク制御時系列及び第２のランク制御時系列を生成し、その後、生成された第１のランク制御時系列及び第２のランク制御時系列に基づいて、ファンを制御してファンの送風風速を調節して、赤ちゃんの睡眠中に、赤ちゃんに柔らかく快適な風速を供給し、赤ちゃんが風邪を引くことを防止し、赤ちゃんにとって好適な睡眠環境を確保する。
【００７１】
本発明の一実施例によれば、特定のユーザーがレム睡眠状態にある場合に、メイン制御モジュール３０が第１のランク制御時系列に基づいて、ファンを制御し、この場合、特定のユーザーの睡眠時間が第１の所定睡眠時間に達した場合に、メイン制御モジュール３０は、第２の風速ランクで第１の所定時間作動するようにファンを制御した後、第３の風速ランクで作動するようにファンを制御し、第３の風速ランクで第１の所定時間作動するようにファンを制御した後、第１の所定時間第２の風速ランクで作動するようにファンを制御し、特定のユーザーの睡眠時間が第２の所定睡眠時間に達するまで順次に繰り返し、特定のユーザーの睡眠時間が第２の所定睡眠時間に達した場合に、メイン制御モジュール３０は、第２の風速ランクで第２の所定時間作動するようにファンを制御した後、第３の風速ランクで作動するようにファンを制御し、第３の風速ランクで第２の所定時間作動するようにファンを制御した後、第１の風速ランクで作動するようにファンを制御し、第１の風速ランクで第２の所定時間作動するようにファンを制御した後、再び第１の風速ランクで作動するようにファンを制御し、特定のユーザーの睡眠時間が第３の所定睡眠時間に達するまで順次に繰り返す。ここで、第２の風速ランクが第１の風速ランクより大きく、且つ第３の風速ランクより小さい。
【００７２】
また、特定のユーザーの睡眠時間が第１の所定睡眠時間に達した後、メイン制御モジュール３０は、第１の所定角度で首振りするようにファンを制御する。
【００７３】
具体的には、特定のユーザー、例えば、赤ちゃんが寝始めてから１０〜２０分に達した場合に、即ち、赤ちゃんの睡眠時間が第１の所定睡眠時間に達した場合に、メイン制御モジュール３０は、第１のランク制御時系列に進む。図２ａに示すように、メイン制御モジュール３０は、まず、第２の風速ランクで第１の所定時間△ｔ１作動するようにファンを制御し、その後、第３の風速ランクで第１の所定時間△ｔ１作動するようにファンを制御し、次に第２の風速ランクで第１の所定時間△ｔ１作動するようにファンを制御し、次に第２の風速ランクで第１の所定時間△ｔ１作動するようにファンを制御し、……、赤ちゃんの睡眠時間が第２の所定睡眠時間、例えば、１時間３０分に達するまで順次に繰り返す。その後、図２ｂに示すように、メイン制御モジュール３０は、第２の風速ランクで第２の所定時間△ｔ２作動するようにファンを制御し、その後、第３の風速ランクで第２の所定時間△ｔ２作動するようにファンを制御し、次に第１の風速ランクで第２の所定時間△ｔ２作動するようにファンを制御し、次に第１の風速ランクで第２の所定時間△ｔ２作動するようにファンを制御し、……、赤ちゃんの睡眠時間が第３の所定睡眠時間、例えば、２時間３０分に達するまで順次に繰り返すと同時に、第１の所定角度、例えば、９０°で首振りするようにファンを制御する。ここで、第１の所定時間△ｔ１と第２の所定時間△ｔ２とが同じであってもよく、例えば、１５秒であってもよい。
【００７４】
本発明の一実施例によれば、特定のユーザーがノンレム睡眠状態にある場合に、メイン制御モジュール３０は、第２のランク制御時系列に基づいて、ファンを制御し、この場合、メイン制御モジュール３０は、第１の風速ランクで第３の所定時間作動するようにファンを制御した後、第２の風速ランクで作動するようにファンを制御し、第２の風速ランクで第３の所定時間作動するようにファンを制御した後、第１の風速ランクで第３の所定時間作動するようにファンを制御し、特定のユーザーの睡眠時間が第４の所定睡眠時間に達するまで順次に繰り返す。特定のユーザーの睡眠時間が第４の所定睡眠時間に達した場合に、メイン制御モジュール３０は、第２の風速ランクで第４の所定時間作動するようにファンを制御した後、第２の風速ランクで作動するようにファンを制御し、第２の風速ランクで第４の所定時間作動するようにファンを制御した後、第１の風速ランクで第４の所定時間作動するようにファンを制御し、特定のユーザーの睡眠時間が第５の所定睡眠時間に達するまで順次に繰り返す。特定のユーザーの睡眠時間が第５の所定睡眠時間に達した場合に、メイン制御モジュール３０は、第１の風速ランクで第５の所定時間作動するようにファンを制御した後、第２の風速ランクで作動するようにファンを制御し、第２の風速ランクで第５の所定時間作動するようにファンを制御した後、第１の風速ランクで作動するようにファンを制御し、第１の風速ランクで第５の所定時間作動するようにファンを制御した後、再び第１の風速ランクで作動するようにファンを制御し、特定のユーザーの睡眠時間が第６の所定睡眠時間に達するまで順次に繰り返す。ここで、第２の風速ランクが第１の風速ランクより大きい。
【００７５】
また、特定のユーザーの睡眠時間が第６の所定睡眠時間に達した後、メイン制御モジュール３０は、さらに、第２の所定角度で首振りするようにファンを制御し、第１の風速ランクで作動することを維持するようにファンを制御する。
【００７６】
具体的には、特定のユーザー、例えば、赤ちゃんがノンレム睡眠状態に入る場合に、例えば、赤ちゃんの睡眠時間が第３の所定睡眠時間、例えば、２時間３０分に達した場合に、図３ａに示すように、メイン制御モジュール３０は、まず、第１の風速ランクで第３の所定時間△ｔ３作動するようにファンを制御し、その後、第２の風速ランクで第３の所定時間△ｔ３作動するようにファンを制御し、次に第１の風速ランクで第３の所定時間△ｔ３作動するようにファンを制御し、次に第１の風速ランクで第３の所定時間△ｔ３作動するようにファンを制御し、……、赤ちゃんの睡眠時間が第４の所定睡眠時間、例えば、３時間２０分に達するまで順次に繰り返す。その後、図３ｂに示すように、メイン制御モジュール３０は、第２の風速ランクで第４の所定時間△ｔ４作動するようにファンを制御し、その後、第２の風速ランクで第４の所定時間△ｔ４作動するようにファンを制御し、次に第１の風速ランクで第４の所定時間△ｔ４作動するようにファンを制御し、次に第１の風速ランクで第４の所定時間△ｔ４作動するようにファンを制御し、……、赤ちゃんの睡眠時間が第５の所定睡眠時間、例えば、４時間１０分に達するまで順次に繰り返す。その後、図３ｃに示すように、メイン制御モジュール３０は、第１の風速ランクで第５の所定時間△ｔ５作動するようにファンを制御し、その後、第２の風速ランクで第５の所定時間△ｔ５作動するようにファンを制御し、次に第１の風速ランクで第５の所定時間△ｔ５作動するようにファンを制御し、次に第１の風速ランクで第５の所定時間△ｔ５作動するようにファンを制御し、……、３０分順次に繰り返した後、即ち、赤ちゃんの睡眠時間が第６の所定睡眠時間、例えば、４時間４０分に達した後、赤ちゃんが睡眠状態から覚醒するまで、第２の所定角度、例えば、１２０°で首振りするようにファンを制御すると同時に、第１の風速ランクで作動することを維持するようにファンを制御する。第３の所定時間△ｔ３、第４の所定時間△ｔ４及び第５の所定時間△ｔ５が同じであってもよく、例えば、１５秒であってもよい。
【００７７】
本発明の一実施例によれば、特定のユーザーが睡眠状態から目覚めた場合に、メイン制御モジュール３０は、第１の風速ランクで第６の所定時間作動するようにファンを制御した後、第３の風速ランクで作動するようにファンを制御し、第３の風速ランクで第６の所定時間作動するようにファンを制御した後、第２の風速ランクで第６の所定時間作動するようにファンを制御し、特定のユーザーの目覚め時間が第１の所定目覚め時間に達するまで順次に繰り返す。特定のユーザーの目覚め時間が第１の所定目覚め時間に達した場合に、メイン制御モジュール３０は、第２の風速ランクで第７の所定時間作動するようにファンを制御した後、第３の風速ランクで作動するようにファンを制御し、第３の風速ランクで第７の所定時間作動するようにファンを制御した後、第１の風速ランクで作動するようにファンを制御し、第１の風速ランクで第７の所定時間作動するようにファンを制御した後、再び第１の風速ランクで作動するようにファンを制御し、ファンがターンオフ命令を受信して作動を停止するまで、順次に繰り返す。ここで、第２の風速ランクが第１の風速ランクより大きく、且つ第３の風速ランクより小さい。
【００７８】
また、特定のユーザーが睡眠状態から目覚めた後、メイン制御モジュール３０は、さらに、第３の所定角度で首振りするようにファンを制御する。
【００７９】
具体的には、特定のユーザー、例えば、赤ちゃんが睡眠状態から目覚めた場合に、図４ａに示すように、メイン制御モジュール３０は、まず、第１の風速ランクで第６の所定時間△ｔ６作動するようにファンを制御し、その後、第３の風速ランクで第６の所定時間△ｔ６作動するようにファンを制御し、次に第２の風速ランクで第６の所定時間△ｔ６作動するようにファンを制御し、次に第２の風速ランクで第６の所定時間△ｔ６作動するようにファンを制御し、……、赤ちゃんの目覚め時間が第１の所定目覚め時間、例えば、１時間３０分に達するまで順次に繰り返す。その後、図４ｂに示すように、メイン制御モジュール３０は、第２の風速ランクで第７の所定時間△ｔ７作動するようにファンを制御し、その後、第３の風速ランクで第７の所定時間△ｔ７作動するようにファンを制御し、次に第１の風速ランクで第７の所定時間△ｔ７作動するようにファンを制御し、次に第１の風速ランクで第７の所定時間△ｔ７作動するようにファンを制御し、……、ファンがターンオフするまで、順次に繰り返すと同時に、第３の所定角度、例えば、９０°で首振りするようにファンを制御する。第６の所定時間△ｔ６と、第７の所定時間△ｔ７とが同じであってもよく、例えば、１０秒であってもよい。
【００８０】
本発明の実施例において、ファンの送風風速が３０回転/分以上、且つ１８０回転/分以下である。
【００８１】
さらに、本発明の実施例において、第１の風速ランクに対応するファンの送風風速は、３０回転/分以上、且つ５０回転/分より小さくてもよく、第２の風速ランクに対応するファンの送風風速は、５０回転/分以上、且つ１００回転/分より小さくてもよく、第３の風速ランクに対応するファンの送風風速は、１００回転/分以上、且つ１８０回転/分以下であってもよい。例えば、メイン制御モジュール３０は、回転速度の閉ループ制御方式により、ファンにおけるモータ２０（例えば、ＤＣインバータモータ）を制御して、ファンの急速起動及び低速閉ループ制御を実現し、低速トルク補償アルゴリズムにより、ファンの送風風速を補償して、ファンの送風風速の安定を確保することができる。ＤＣインバータモータが低損失、低ノイズなどの利点を有するため、特定のユーザーに必要する良好な睡眠環境を供給して、特定のユーザーをぐっすり眠らせることができる。
【００８２】
なお、メイン制御モジュール３０が、ファンのランク制御時系列に基づいて、ファンを制御する場合に、さらに、上記数式（１）により、ファンの送風風速を制御し、即ち、減衰振動グラフ制御アルゴリズムにより制御し、対応する減衰振動グラフが図５に示される。減衰振動グラフ制御アルゴリズムにより、ＤＣインバータモータを制御することにより、ファンの送風風速が、人が扇子であおぐ場合の風速にさらに近くなり、即ち、微風制御を実現することができ、特定のユーザー、例えば、赤ちゃんや妊婦さんなどに快適でクールな感覚を与え、特定のユーザーが風邪を引く確率を大きく低減すると同時に、ＤＣインバータモータの低電力作動を実現し、省エネ及び寿命延長の効果を達成する。
【００８３】
本発明の一実施例において、図７に示すように、上記ファンは、特定のユーザーの人体パラメータを取得するための体感取得モジュール４０をさらに含み、メイン制御モジュール３０は、特定のユーザーの人体パラメータに基づいて、風速調節命令及びファン首振り調節命令を生成して、ファンの送風風速及びファンの首振り角度を調節する。
【００８４】
ここで、人体パラメータは、特定のユーザーの体温、表情、苛立たしさ、状態などを含むことができる。特定のユーザーの人体パラメータに基づいて、ファンの送風風速及びファンの首振り角度を微調整することにより、ファンの送風速度及びファンの首振り角度が、特定のユーザーの実際のニーズにさらに近くなり、特定のユーザーの快適さが向上する。例えば、赤ちゃんが泣いている場合に、ファンの首振り角度を調節することができ（例えば、３０°〜１８０°の間で調節する）、赤ちゃんをファンから遠ざけると同時に、ファンの送風風速を調節し、赤ちゃんが泣いているとき、汗をかかないことや、風邪を引かないことが確保され、自己適応が達成される。
【００８５】
本発明の一実施例において、図７に示すように、上記ファンは、特定のユーザーの画像情報を取得するための撮像装置５０をさらに含み、メイン制御モジュール３０は、画像情報に基づいて、特定のユーザーの睡眠状態及び睡眠品質を取得し、特定のユーザーの睡眠状態及び睡眠品質に基づいて、ファンのランク制御時系列を修正する。さらに、上記ファンは、通信モジュール６０をさらに含み、メイン制御モジュール３０は、通信モジュール６０を介して前記特定のユーザーの睡眠状態及び睡眠品質を移動端末に送信する。
【００８６】
具体的には、撮像装置５０、例えば、カメラにより、特定のユーザー、例えば、赤ちゃんの画像情報を収集し、その後、メイン制御モジュール３０は、画像情報を比較分析して、赤ちゃんの睡眠状態及び睡眠品質を取得し、赤ちゃんの睡眠状態及び睡眠品質に基づいて、ファンのランク制御時系列を修正し、修正されたランク制御時系列に基づいて、ファンを制御する。同時に、メイン制御モジュール３０は、通信モジュール６０を介して赤ちゃんの睡眠状態及び睡眠品質を赤ちゃんの親などの移動端末、例えば、携帯電話に送信することができるし、赤ちゃんの画像情報を移動端末に直接送信して、動画共有などを実現することもできるため、赤ちゃんの親などが、赤ちゃんの情報を遠隔でリアルタイムに把握することができ、赤ちゃんの親などがさらに安心する。
【００８７】
本発明の一実施例において、上記ファンは、特定のユーザーの音声情報を取得するための音声取得モジュール７０をさらに含み、メイン制御モジュール３０は、通信モジュール６０を介して特定のユーザーの音声情報を移動端末に送信し、通信モジュールを介して移動端末の音声情報を受信する。
【００８８】
具体的には、音声取得モジュール７０、例えば、マイクロフォンにより、特定のユーザーの睡眠中の音声を取得し、メイン制御モジュール３０は、通信モジュール６０を介して特定のユーザーの音声を特定のユーザーの親などの移動端末、例えば、携帯電話に送信する。例えば、特定のユーザー、例えば、赤ちゃんが目覚めた場合に、赤ちゃんは、親を呼びかけ、この場合に、赤ちゃんの音声を赤ちゃんの親などの移動端末、例えば、携帯電話に送信することができ、赤ちゃんの親などが赤ちゃんの呼びかけを聞いた後、赤ちゃんと通話して、遠隔で赤ちゃんを見守る。
【００８９】
本発明の実施例に係るファンは、メイン制御モジュールが、情景風作動モードに入るようにファンを制御した後、情景風作動モードに対応する特定のユーザーの睡眠時間を取得し、特定のユーザーの睡眠時間に基づいて、ファンのランク制御時系列を取得し、ファンのランク制御時系列に基づいて、ファンを制御して、ファンの送風風速を調節することにより、特定のユーザーの睡眠中に、特定のユーザーに柔らかい風を供給することができ、特定のユーザーが風にあたって風邪を引いてしまうという問題を効果的に防止すると同時に、特定のユーザーに静かで快適な睡眠環境を供給し、特定のユーザーの睡眠品質を向上させ、制御が正確で、ファンの使用寿命に影響を与えない。
【００９０】
なお、本発明の説明において、「中心」、「縦方向」、「横方向」、「長さ」、「幅」、「厚み」、「上」、「下」、「前」、「後」、「左」、「右」、「鉛直」、「水平」、「頂」、「底」、「内」、「外」、「時計回り」、「逆時計回り」、「軸方向」、「径方向」、「周方向」などの用語が示す方位又は位置関係は、図面に示す方位又は位置関係に基づき、本発明を便利に又は簡単に説明するためのものであり、指定された装置又は部品が特定の方位にあり、特定の方位において構造され操作されると指示又は暗示するものではないので、本発明を限定するものと理解してはならない。
【００９１】
なお、「第１」、「第２」の用語は、単に説明するためのものであり、相対的な重要性を指示又は暗示するか、或いは示された技術的特徴の数を黙示的に指示すると理解してはならない。よって、「第１」、「第２」が限定されている特徴は少なくとも一つの前記特徴を含むことを明示又は暗示するものである。本発明の説明において、明確且つ具体的な限定がない限り、「複数」とは、少なくとも二つを意味し、例えば、二つ、三つなど。
【００９２】
本発明において、明確な規定と限定がない限り、「取り付ける」、「互いに接続する」、「接続する」、「固定する」などの用語の意味は広義に理解されるべきである。例えば、固定接続や、着脱可能な接続や、或いは一体的な接続でも可能である。機械的な接続や、電気的な接続も可能である。直接的に接続することや、中間媒体を介して間接的に接続することや、二つの部品の内部が連通することや、あるいは二つの部品の間に相互の作用関係があることも可能である。当業者であれば、具体的な場合に応じて上記用語の本発明においての具体的な意味を理解することができる。
【００９３】
本発明において、明確な規定と限定がない限り、第１特徴が第２特徴の「上」又は「下」にあることは、第１特徴と第２特徴とが直接的に接触することを含んでも良いし、又は第１特徴と第２特徴とが、中間媒体を介して間接的に接触することを含んでもよい。また、第１特徴が第２特徴の「上」、「上方」又は「以上」にあることは、第１特徴が第２特徴の真上又は斜め上にあることを含むか、或いは、単に第１特徴の水平高さが第２特徴より高いことだけを表す。第１特徴が第２特徴の「下」、「下方」又は「以下」にあることは、第１特徴が第２特徴の真下又は斜め下にあることを含むか、或いは、単に第１特徴の水平高さが第２特徴より低いことだけを表す。
【００９４】
本発明の説明において、「一実施例」、「一部の実施例」、「例」、「具体的な例」、或いは「一部の例」などの用語を参照した説明は、該実施例或いは例に合わせて説明された具体的な特徴、構成、材料或いは特性が、本発明の少なくとも一つの実施例或いは例に含まれることを意味する。本明細書において、上記用語に対する例示的な説明は、必ずしも同じ実施例或いは例を指すことではない。また、説明された具体的な特徴、構成、材料或いは特性は、いずれか一つ或いは複数の実施形態又は例において適切に結合することができる。なお、互いに矛盾しない限り、当業者は、本明細書に説明された異なる実施例又は例、及び異なる実施例又は例の特徴を結合し、組み合わせることができる。
【００９５】
以上、本発明の実施例を示して説明したが、なお、上記実施例は、例示的なものであり、本発明を限定するものと理解してはならない。当業者は、本発明の範囲内で上記実施例に対して変更、修正、取り替え及び変形を行うことができる。
【符号の説明】
【００９６】
１０  ファンブレード
２０  モータ
３０  メイン制御モジュール
４０  体感取得モジュール
５０  撮像装置
６０  通信モジュール
７０  音声取得モジュール
【図１】
2019507846.tif 000008
【図２ａ】
2019507846.tif 000009
【図２ｂ】
2019507846.tif 000010
【図３ａ】
2019507846.tif 000011
【図３ｂ】
2019507846.tif 000012
【図３ｃ】
2019507846.tif 000013
【図４ａ】
2019507846.tif 000014
【図４ｂ】
2019507846.tif 000015
【図５】
2019507846.tif 000016
【図６】
2019507846.tif 000017
【図７】
2019507846.tif 000018
【国際調査報告】
2019507846.tif 000019
2019507846.tif 000020
2019507846.tif 000021
2019507846.tif 000022
2019507846.tif 000023
2019507846.tif 000024